(57)【特許請求の範囲】
【請求項１】
ユーザにより入力されるクエリによってウェブページを検索する閲覧端末であって、
前記ウェブページのＵＲＬと、当該ウェブページのＵＲＬが示すコンテンツのインデックスとを対応付けて記憶する閲覧ページ記憶手段と、
前記閲覧ページ記憶手段に記憶されたウェブページのＵＲＬによってウェブページを定期的にクローリングし、新たなウェブページのＵＲＬを取得するクローリング手段と、
前記ユーザの操作によって閲覧要求がされたウェブページのＵＲＬが示すコンテンツを解析し、解析したコンテンツのインデックスを作成し、作成したインデックスと、当該ウェブページのＵＲＬとを対応付けて前記閲覧ページ記憶手段に記憶させ、前記クローリング手段によって取得された前記新たなウェブページのＵＲＬが示すコンテンツを解析し、解析したコンテンツのインデックスを作成し、作成したインデックスを当該新たなウェブページのＵＲＬに対応付けて前記閲覧ページ記憶手段に記憶させる閲覧ページ登録手段と、
前記クエリを受け付ける検索クエリ受付手段と、
前記検索クエリ受付手段によって受け付けられたクエリによって検索サーバに検索要求を送信し、当該検索サーバから検索結果を取得すると共に、前記閲覧ページ記憶手段を当該クエリによって検索し、検索したコンテンツのインデックスと、当該インデックスに対応付けられたウェブページのＵＲＬとを検索結果として取得する検索結果取得手段と、
前記検索結果取得手段によって取得された検索結果を表示すると共に、前記閲覧ページ記憶手段から取得した検索結果の近傍に、当該検索結果が前記検索結果取得手段によって取得されたものであってユーザの閲覧状態を示すマークを表示する検索結果表示手段と、
を備える閲覧端末。
【請求項２】
前記検索結果表示手段は、表示する際に、前記閲覧ページ記憶手段から取得した検索結果を、前記検索サーバから取得した検索結果よりも優先して表示する請求項１に記載の閲覧端末。
【請求項３】
ユーザにより入力されるクエリによって検索サーバからウェブページを検索する閲覧端末であって、前記ユーザの操作によって閲覧要求がされたウェブページのＵＲＬが示すコンテンツを解析し、解析したコンテンツのインデックスを作成し、作成したインデックスと、当該ウェブページのＵＲＬとを対応付けて閲覧ページ記憶手段に記憶させる閲覧端末が実行する方法であって、
前記クエリを受け付けるステップと、
前記閲覧ページ記憶手段に記憶されたウェブページのＵＲＬによってウェブページを定期的にクローリングし、新たなウェブページのＵＲＬを取得するクローリングステップと、
前記クローリングステップによって取得された前記新たなウェブページのＵＲＬが示すコンテンツを解析し、解析したコンテンツのインデックスを作成し、作成したインデックスを当該新たなウェブページのＵＲＬに対応付けて前記閲覧ページ記憶手段に記憶させるステップと、
受け付けられたクエリによって前記検索サーバに検索要求を送信し、当該検索サーバから検索結果を取得すると共に、前記閲覧ページ記憶手段を当該クエリによって検索し、検索したコンテンツのインデックスと、当該インデックスに対応付けられたウェブページのＵＲＬとを検索結果として取得する検索結果取得ステップと、
取得された検索結果を表示すると共に、前記閲覧ページ記憶手段から取得した検索結果の近傍に、当該検索結果が前記検索結果取得ステップによって取得されたものであってユーザの閲覧状態を示すマークを表示するステップと、
を備える方法。
【発明の詳細な説明】
【技術分野】
【０００１】
本発明は、閲覧端末及び方法に関する。
【背景技術】
【０００２】
近年、インターネット等の普及により、ユーザは、さまざまな情報を容易に検索できるようになった。例えば、ユーザは、端末から検索語等のクエリを入力して、検索サーバに検索要求を行う。すると、検索サーバは、端末からの要求に応じてデータベース等を検索し、検索した結果を端末に提供する。
【０００３】
このような検索サーバを利用して情報を検索することによって、ユーザは、新規な発想を得ることができる。さらに、ユーザの発想を広げるために、検索結果として検索語を含む文書を提示する代わりに、その検索語から連想される言葉を連想検索結果として提供する技術も提案されている。例えば、連想検索結果に対するユーザのフィードバックを取り入れて、連想検索の精度の向上を図る特許文献１に記載された検索サービス装置が知られている。
【０００４】
特許文献１に記載された検索サービス装置は、複数のキーワードの出現頻度を文書データごとに集計し、出現頻度データを用いて算出されたキーワード間の共起性に基づく関連度を表す関連度データを保持する。そして、検索サービス装置は、ユーザ端末から入力された複数の検索語に対して、検索語と関連度が高い順に予め定められた数のキーワードを連想語として抽出し、抽出した連想語を文字列として含むタグを配置したページを作成し、検索結果としてユーザ端末に出力する。
【先行技術文献】
【特許文献】
【０００５】
【特許文献１】特開２００９−８６７７４号公報
【発明の概要】
【発明が解決しようとする課題】
【０００６】
しかしながら、特許文献１に記載された検索サービス装置は、入力された検索語と関連度が高い順に予め定められた数のキーワードを連想語として抽出することができるが、個々のユーザの興味や関心の傾向に沿った情報を抽出することができない。
【０００７】
そこで、個々のユーザの検索に対しそのユーザの興味や関心の傾向に沿った情報を提供できる端末が求められている。
【０００８】
本発明は、個々のユーザによって入力されたクエリに基づいて検索した情報だけでなく、そのユーザの興味や関心の傾向に沿った情報も提供することができる閲覧端末及び方法を提供することを目的とする。
【課題を解決するための手段】
【０００９】
本発明では、以下のような解決手段を提供する。
【００１０】
（１）  ユーザにより入力されるクエリによってウェブページを検索する閲覧端末であって、前記ウェブページのＵＲＬ（Ｕｎｉｆｏｒｍ  Ｒｅｓｏｕｒｃｅ  Ｌｏｃａｔｏｒ）と、当該ウェブページのＵＲＬが示すコンテンツのインデックスとを対応付けて記憶する閲覧ページ記憶手段と、前記閲覧ページ記憶手段に記憶されたウェブページのＵＲＬによってウェブページを定期的にクローリングし、新たなウェブページのＵＲＬを取得するクローリング手段と、前記ユーザの操作によって閲覧要求がされたウェブページのＵＲＬが示すコンテンツを解析し、解析したコンテンツのインデックスを作成し、作成したインデックスと、当該ウェブページのＵＲＬとを対応付けて前記閲覧ページ記憶手段に記憶させ、前記クローリング手段によって取得された前記新たなウェブページのＵＲＬが示すコンテンツを解析し、解析したコンテンツのインデックスを作成し、作成したインデックスを当該新たなウェブページのＵＲＬに対応付けて前記閲覧ページ記憶手段に記憶させる閲覧ページ登録手段と、前記クエリを受け付ける検索クエリ受付手段と、前記検索クエリ受付手段によって受け付けられたクエリによって検索サーバに検索要求を送信し、当該検索サーバから検索結果を取得すると共に、前記閲覧ページ記憶手段を当該クエリによって検索し、検索したコンテンツのインデックスと、当該インデックスに対応付けられたウェブページのＵＲＬとを検索結果として取得する検索結果取得手段と、前記検索結果取得手段によって取得された検索結果を表示すると共に、前記閲覧ページ記憶手段から取得した検索結果の近傍に、当該検索結果が前記検索結果取得手段によって取得されたものであってユーザの閲覧状態を示すマークを表示する検索結果表示手段と、を備える閲覧端末。
【００１１】
（１）の構成によれば、本発明に係る閲覧端末は、ウェブページのＵＲＬと、当該ウェブページのＵＲＬが示すコンテンツのインデックスとを対応付けて記憶する閲覧ページ記憶手段を備え、ユーザの操作によって閲覧要求がされたウェブページのＵＲＬが示すコンテンツを解析し、解析したコンテンツのインデックスを作成し、作成したインデックスと、当該ウェブページのＵＲＬとを対応付けて前記閲覧ページ記憶手段に記憶させる。そして、本発明に係る閲覧端末は、クエリを受け付け、受け付けたクエリによって検索サーバに検索要求を送信し、当該検索サーバから検索結果を取得すると共に、閲覧ページ記憶手段を当該クエリによって検索し、検索したコンテンツのインデックスと、当該インデックスに対応付けられたウェブページのＵＲＬとを検索結果として取得し、取得した検索結果を表示する。
【００１２】
すなわち、本発明に係る閲覧端末は、受け付けたクエリによって検索サーバから検索結果を取得すると共に、ユーザによって過去に閲覧されたウェブページを記憶する閲覧ページ記憶手段からも検索結果を取得し、表示する。したがって、本発明に係る閲覧端末は、個々のユーザによって入力されたクエリに基づいて検索サーバを検索した情報だけでなく、そのユーザの興味や関心の傾向に沿った情報も提供することができる。
また、本発明に係る閲覧端末は、閲覧ページ記憶手段に記憶されたウェブページのＵＲＬによってウェブページを定期的にクローリングし、新たなウェブページのＵＲＬをさらに取得し、取得した新たなウェブページのＵＲＬが示すコンテンツを解析し、解析したコンテンツのインデックスを作成し、作成したインデックスを当該新たなウェブページのＵＲＬに対応付けて閲覧ページ記憶手段に記憶させる。したがって、本発明に係る閲覧端末は、個々のユーザの興味や関心の傾向に沿った情報に基づいて取得したウェブページに基づいて、個々のユーザの興味や関心の傾向にさらに関連した情報を取得し、提供することができる。
【００１３】
（２）  前記検索結果表示手段は、表示する際に、前記閲覧ページ記憶手段から取得した検索結果を、前記検索サーバから取得した検索結果よりも優先して表示する（１）に記載の閲覧端末。
【００１４】
（２）の構成によれば、閲覧端末は、表示する際に、閲覧ページ記憶手段から取得した検索結果を、検索サーバから取得した検索結果よりも優先して表示する。したがって、（２）に係る閲覧端末は、個々のユーザによって入力されたクエリに基づいて検索サーバを検索した情報よりも、そのユーザの興味や関心の傾向に沿った情報を優先して提供することができる。
【００１７】
（３）  ユーザにより入力されるクエリによって検索サーバからウェブページを検索する閲覧端末であって、前記ユーザの操作によって閲覧要求がされたウェブページのＵＲＬが示すコンテンツを解析し、解析したコンテンツのインデックスを作成し、作成したインデックスと、当該ウェブページのＵＲＬとを対応付けて閲覧ページ記憶手段に記憶させる閲覧端末が実行する方法であって、前記クエリを受け付けるステップと、前記閲覧ページ記憶手段に記憶されたウェブページのＵＲＬによってウェブページを定期的にクローリングし、新たなウェブページのＵＲＬを取得するクローリングステップと、前記クローリングステップによって取得された前記新たなウェブページのＵＲＬが示すコンテンツを解析し、解析したコンテンツのインデックスを作成し、作成したインデックスを当該新たなウェブページのＵＲＬに対応付けて前記閲覧ページ記憶手段に記憶させるステップと、受け付けられたクエリによって前記検索サーバに検索要求を送信し、当該検索サーバから検索結果を取得すると共に、前記閲覧ページ記憶手段を当該クエリによって検索し、検索したコンテンツのインデックスと、当該インデックスに対応付けられたウェブページのＵＲＬとを検索結果として取得する検索結果取得ステップと、取得された検索結果を表示すると共に、前記閲覧ページ記憶手段から取得した検索結果の近傍に、当該検索結果が前記検索結果取得ステップによって取得されたものであってユーザの閲覧状態を示すマークを表示するステップと、を備える方法。
【００１８】
（３）の構成によれば、本発明に係る方法は、個々のユーザによって入力されたクエリに基づいて検索サーバを検索した情報だけでなく、そのユーザの興味や関心の傾向に沿った情報も提供することができる。また、個々のユーザの興味や関心の傾向に沿った情報に基づいて取得したウェブページに基づいて、個々のユーザの興味や関心の傾向にさらに関連した情報を取得し、提供することができる。
【発明の効果】
【００１９】
本発明は、個々のユーザによって入力されたクエリに基づいて検索サーバを検索した情報だけでなく、そのユーザの興味や関心の傾向に沿った情報も提供することができる。さらに、本発明は、過去にユーザが閲覧したウェブページのＵＲＬを検索結果として優先的に表示させることができる。また、本発明は、ユーザが閲覧したウェブページの周辺のウェブページを検索結果の関連ページとして表示させることができる。
【図面の簡単な説明】
【００２０】
【図１】本発明の一実施形態に係る閲覧端末の機能構成を示す機能ブロック図である。
【図２】本発明の一実施形態に係る閲覧端末の閲覧ページＤＢの例を示す図である。
【図３】本発明の一実施形態に係る閲覧端末の検索処理を示すフローチャートである。
【図４】本発明の一実施形態に係る閲覧端末のクローリング処理を示すフローチャートである。
【図５】本発明の一実施形態に係る閲覧端末による検索結果の表示例を示す図である。
【発明を実施するための形態】
【００２１】
以下、本発明の実施形態について図を参照しながら説明する。
【００２２】
本実施形態は、コンピュータ及びその周辺装置に適用される。本実施形態における各部は、コンピュータ及びその周辺装置が備えるハードウェア並びに該ハードウェアを制御するソフトウェアによって構成される。
【００２３】
上記ハードウェアには、制御部としてのＣＰＵ（Ｃｅｎｔｒａｌ  Ｐｒｏｃｅｓｓｉｎｇ  Ｕｎｉｔ）の他、記憶部、通信装置、表示装置及び入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイやプラズマディスプレイ等の各種ディスプレイが挙げられる。入力装置としては、例えば、キーボード及びポインティング・デバイス（マウス、トラッキングボール等）が挙げられる。
【００２４】
上記ソフトウェアには、上記ハードウェアを制御するコンピュータ・プログラムやデータが含まれる。コンピュータ・プログラムやデータは、記憶部により記憶され、制御部により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００２５】
図１は、本発明の一実施形態に係る閲覧端末１０の機能構成を示す機能ブロック図である。閲覧端末１０は、閲覧ページ記憶手段として閲覧ページＤＢ３１（ＤＢ：データベース）と、閲覧ページ登録手段として閲覧ページ登録部１１と、検索クエリ受付手段として検索クエリ受付部１２と、検索結果取得手段として検索結果取得部１３と、検索結果表示手段として検索結果表示部１４と、クローリング手段としてクローリング部１５とを備える。このような閲覧端末１０の機能について、各部ごとに詳述する。
【００２６】
閲覧ページＤＢ３１は、ウェブページのＵＲＬと、当該ウェブページのＵＲＬが示すコンテンツのインデックスとを対応付けて記憶する（後述する図２参照）。ウェブページのＵＲＬが示すコンテンツのインデックスは、ウェブページのＵＲＬが示すコンテンツを解析することによって得られ、例えば、そのウェブページのタイトルや要約等を含む。
【００２７】
閲覧ページ登録部１１は、ユーザの操作によって閲覧要求がされたウェブページのＵＲＬが示すコンテンツを解析し、解析したコンテンツのインデックスを作成し、作成したインデックスと、当該ウェブページのＵＲＬとを対応付けて閲覧ページＤＢ３１に記憶させる。閲覧要求がされたウェブページのＵＲＬは、例えば、ユーザの操作によってウェブページのＵＲＬが直接入力されて閲覧要求がされたウェブページのＵＲＬを含む。また、閲覧要求がされたウェブページのＵＲＬは、検索によって表示されたウェブページのＵＲＬの一覧の中から、選択されてクリックされることによって閲覧要求がされたウェブページのＵＲＬを含む。そして、閲覧ページ登録部１１は、閲覧要求がされたウェブページのＵＲＬが示すコンテンツを解析し、解析したコンテンツのインデックス（例えば、タイトルや要約等）を作成し、作成したインデックスをそのウェブページのＵＲＬに対応付けて閲覧ページＤＢ３１に記憶させる。
【００２８】
検索クエリ受付部１２は、クエリを受け付ける。例えば、検索クエリ受付部１２は、検索するためのキーワードや、検索の対象となる検索サーバ５０や閲覧ページＤＢ３１についての検索条件等を受け付ける。
【００２９】
検索結果取得部１３は、検索クエリ受付部１２によって受け付けられたクエリによって検索サーバ５０に検索要求を送信し、当該検索サーバ５０から検索結果を取得すると共に、閲覧ページＤＢ３１を当該クエリによって検索し、検索したコンテンツのインデックスと、当該インデックスに対応付けられたウェブページのＵＲＬとを検索結果として取得する。例えば、検索結果取得部１３は、検索クエリ受付部１２によって受け付けられたキーワードや、検索条件等によって、コンピュータネットワーク７０を介して検索サーバ５０に検索要求を送信し、送信した検索要求によって検索した検索サーバ５０から検索結果を取得する。それと共に、検索結果取得部１３は、検索クエリ受付部１２によって受け付けられたキーワードや、検索条件等によって、閲覧ページＤＢ３１に記憶されたコンテンツのインデックス（例えば、タイトルや要約等）を検索し、検索したコンテンツのインデックスと、そのインデックスに対応付けられたウェブページのＵＲＬとを検索結果として取得する。
【００３０】
検索結果表示部１４は、検索結果取得部１３によって取得された検索結果を表示する。例えば、検索結果表示部１４は、検索結果取得部１３によって検索サーバ５０から取得された検索結果と、検索結果取得部１３によって閲覧ページＤＢ３１から取得された検索結果（例えば、ウェブページのＵＲＬ及びコンテンツのインデックス）を表示する。検索結果表示部１４は、検索結果取得部１３によって検索結果が取得された際の一致度（例えば、キーワードを含む個数や、類似語辞書（図示せず）により取得したキーワードの類似語を含む個数等）によって、一致度が高い検索結果を優先して表示する。さらに、検索結果表示部１４は、検索結果取得部１３によって取得された検索結果を表示する際に、閲覧ページＤＢ３１から取得した検索結果を、検索サーバ５０から取得した検索結果よりも優先して表示する。なお、検索結果表示部１４は、他の方法によって検索結果の優先順位を決定し、表示するとしてもよい。そして、閲覧ページ登録部１１は、例えば、検索結果表示部１４によって表示された検索結果の一覧の中から、選択されてクリックされることによって表示され、閲覧されたウェブページについて、ウェブページのＵＲＬと、そのウェブページのＵＲＬが示すコンテンツのインデックスとを対応付けて閲覧ページＤＢ３１に記憶させる。
【００３１】
クローリング部１５は、閲覧ページＤＢ３１に記憶されたウェブページのＵＲＬによってウェブページを定期的にクローリングし、新たなウェブページのＵＲＬを取得する。例えば、クローリング部１５は、閲覧ページＤＢ３１に記憶されたウェブページのＵＲＬが示すコンテンツからリンクされているコンテンツをたどり、新たなウェブページのＵＲＬを取得する。そして、閲覧ページ登録部１１は、クローリング部１５によって取得された、新たなウェブページのＵＲＬについて、その新たなウェブページのＵＲＬが示すコンテンツを解析し、解析したコンテンツのインデックス（例えば、タイトルや要約等）を作成し、作成したインデックスを、その新たなウェブページのＵＲＬに対応付けて閲覧ページＤＢ３１に記憶させる。
【００３２】
図２は、本発明の一実施形態に係る閲覧端末１０の閲覧ページＤＢ３１の例を示す図である。閲覧ページＤＢ３１は、ウェブページのＵＲＬと、ウェブページのＵＲＬが示すコンテンツのインデックスとを対応付けて記憶する。コンテンツのインデックスは、例えば、コンテンツのタイトルや要約等を含む。さらに、閲覧ページＤＢ３１は、ウェブページのＵＲＬに対応付けて、そのウェブページのＵＲＬが示すコンテンツが閲覧されたか否かの情報（例えば、閲覧日）を記憶する。閲覧端末１０は、閲覧ページＤＢ３１から取得した検索結果について、キーワードとの一致度と、そのウェブページのＵＲＬが示すコンテンツが閲覧されたか否かの情報とによって表示する順を決定する。そして、閲覧端末１０は、過去に閲覧されたウェブページのＵＲＬを強調して表示するとしてもよい。また、閲覧端末１０は、閲覧ページＤＢ３１に記憶されたウェブページのＵＲＬのうち、ユーザによって閲覧されたウェブページのＵＲＬの中から検索するとしてもよい。このことによって、閲覧端末１０は、検索サーバ５０から取得した現在の検索結果だけでなく、過去に実際に閲覧したウェブページのＵＲＬの中から取得した検索結果をも表示することができる。なお、閲覧ページＤＢ３１は、リンク先のウェブページのＵＲＬが示すコンテンツも保存するとしてもよい。ウェブページのＵＲＬが示すコンテンツを保存することによって、閲覧端末１０は、現存しないコンテンツであっても、過去に閲覧したコンテンツをオフラインで表示することができる。
【００３３】
図３は、本発明の一実施形態に係る閲覧端末１０の検索処理を示すフローチャートである。本処理は、プログラム開始指令により処理を開始する。
【００３４】
ステップＳ１０１において、ＣＰＵ（検索クエリ受付部１２）は、クエリを受け付ける。より具体的には、ＣＰＵは、入力装置（例えば、キーボード等）からクエリ（例えば、キーワードや、検索条件等）の入力を受け付ける。その後、ＣＰＵは、処理をステップＳ１０２に移す。
【００３５】
ステップＳ１０２において、ＣＰＵ（検索結果取得部１３）は、受け付けたクエリに基づいて検索サーバ５０から検索結果を取得する。より具体的には、ＣＰＵは、受け付けたクエリによって、検索サーバ５０に検索要求を送信し、送信した検索要求によって検索した検索サーバ５０から検索結果を受信し、取得する。その後、ＣＰＵは、処理をステップＳ１０３に移す。
【００３６】
ステップＳ１０３において、ＣＰＵ（検索結果取得部１３）は、受け付けたクエリに基づいて閲覧ページＤＢ３１から検索結果を取得する。より具体的には、ＣＰＵは、受け付けたクエリによって、閲覧ページＤＢ３１に記憶されたコンテンツのインデックス（例えば、タイトルや要約等）を検索し、検索したコンテンツのインデックスと、そのインデックスに対応付けられたウェブページのＵＲＬとを検索結果として取得する。その後、ＣＰＵは、処理をステップＳ１０４に移す。
【００３７】
ステップＳ１０４において、ＣＰＵ（検索結果表示部１４）は、取得した検索結果のうち、閲覧ページＤＢ３１から取得した検索結果を優先して表示する。より具体的には、ＣＰＵは、ステップＳ１０３において、検索サーバ５０から取得した検索結果と、閲覧ページＤＢ３１から取得した検索結果とを表示する際に、閲覧ページＤＢ３１から取得した検索結果を優先して表示する。その後、ＣＰＵは、処理をステップＳ１０５に移す。
【００３８】
ステップＳ１０５において、ＣＰＵ（閲覧ページ登録部１１）は、表示した検索結果のうち、選択されたウェブページのＵＲＬ及びコンテンツのインデックスを閲覧ページＤＢ３１に記憶させる。より具体的には、ＣＰＵは、表示した検索結果のうち、入力装置（キーボードや、マウス等）からの入力によって選択されたウェブページのＵＲＬが示すコンテンツを解析し、解析したコンテンツのインデックスを作成し、作成したインデックスをそのウェブページのＵＲＬに対応付けて閲覧ページＤＢ３１に記憶させる。その後、ＣＰＵは、処理を終了する。
【００３９】
図４は、本発明の一実施形態に係る閲覧端末１０のクローリング処理を示すフローチャートである。本処理は、定期的に処理を開始する。
【００４０】
ステップＳ２０１において、ＣＰＵ（クローリング部１５）は、閲覧ページＤＢ３１からウェブページのＵＲＬを取得する。その後、ＣＰＵは、処理をステップＳ２０２に移す。
【００４１】
ステップＳ２０２において、ＣＰＵ（クローリング部１５）は、取得したウェブページのＵＲＬが示すコンテンツにリンク先があるか否かを判断する。この判断がＹＥＳの場合、ＣＰＵは、処理をステップＳ２０３に移し、ＮＯの場合、ＣＰＵは、処理をステップＳ２０５に移す。
【００４２】
ステップＳ２０３において、ＣＰＵ（クローリング部１５）は、新たなリンク先か否かを判断する。すなわち、ＣＰＵは、リンク先を示すウェブページのＵＲＬによって閲覧ページＤＢ３１を検索し、リンク先を示すウェブページのＵＲＬが記憶されていないか否かを判断する。この判断がＹＥＳの場合、ＣＰＵは、処理をステップＳ２０４に移し、ＮＯの場合、ＣＰＵは、処理をステップＳ２０２に移す。
【００４３】
ステップＳ２０４において、ＣＰＵ（クローリング部１５）は、リンク先であるウェブページのＵＲＬと、そのウェブページのＵＲＬが示すコンテンツのインデックスとを対応付けて閲覧ページＤＢ３１に記憶させる。より具体的には、ＣＰＵは、リンク先であるウェブページのＵＲＬが示すコンテンツを解析し、解析したコンテンツのインデックスを作成し、作成したインデックスをそのウェブページのＵＲＬに対応付けて閲覧ページＤＢ３１に記憶させる。その後、ＣＰＵは、処理をステップＳ２０２に移す。
【００４４】
ステップＳ２０５において、ＣＰＵ（クローリング部１５）は、次にクローリング処理すべきウェブページのＵＲＬがあるか否かを判断する。すなわち、ＣＰＵは、閲覧ページＤＢ３１に記憶されたウェブページのＵＲＬのうち次にクローリング処理すべきＵＲＬが記憶されているか否かを判断する。この判断がＹＥＳの場合、ＣＰＵは、処理をステップＳ２０１に移し、ＮＯの場合、ＣＰＵは、処理を終了する。
【００４５】
図５は、本発明の一実施形態に係る閲覧端末１０による検索結果の表示例を示す図である。図５の例は、閲覧端末１０が、表示装置のクエリ入力欄１１１に入力されたクエリに基づいて取得した検索結果を検索結果欄１２１に表示していることを示す例である。図５の例において、マーク１２２は、閲覧ページＤＢ３１から取得した検索結果であることを示し、ＵＲＬと共に表示されている日付は、閲覧日を示している。また、閲覧ページＤＢ３１から取得した検索結果であって、閲覧日のないＵＲＬは、クローリング処理によって閲覧ページＤＢ３１に記憶されているが、閲覧されていないコンテンツを示す。すなわち、図５の例は、閲覧端末１０が、入力されたクエリに基づいて検索サーバ５０から取得した検索結果と、閲覧ページＤＢ３１から取得した検索結果とを表示し、閲覧ページＤＢ３１から取得した検索結果を、検索サーバ５０から取得した検索結果よりも優先して表示していることを示す例である。さらに、図５の例において、閲覧端末１０は、表示された検索結果の一覧の中からウェブページのＵＲＬがマウスのポインタ２０１によって選択されてクリックされることによって、ウェブページが表示され、閲覧されると、そのウェブページのＵＲＬと、そのウェブページのＵＲＬが示すコンテンツのインデックスとを対応付けて閲覧ページＤＢ３１に記憶させる。
【００４６】
本実施形態によれば、閲覧端末１０は、ウェブページのＵＲＬと、当該ウェブページのＵＲＬが示すコンテンツのインデックスとを対応付けて記憶する閲覧ページＤＢ３１を備え、ユーザの操作によって閲覧要求がされたウェブページのＵＲＬが示すコンテンツを解析し、解析したコンテンツのインデックスを作成し、作成したインデックスと、当該ウェブページのＵＲＬとを対応付けて閲覧ページＤＢ３１に記憶させる。そして、閲覧端末１０は、クエリを受け付け、受け付けたクエリによって検索サーバ５０に検索要求を送信し、当該検索サーバ５０から検索結果を取得すると共に、閲覧ページＤＢ３１を当該クエリによって検索し、検索したコンテンツのインデックスと、当該インデックスに対応付けられたウェブページのＵＲＬとを検索結果として取得し、取得した検索結果を表示する。そして、閲覧端末１０は、表示する際に、閲覧ページＤＢ３１から取得した検索結果を、検索サーバ５０から取得した検索結果よりも優先して表示する。さらに、閲覧端末１０は、閲覧ページＤＢ３１に記憶されたウェブページのＵＲＬによってウェブページを定期的にクローリングし、新たなウェブページのＵＲＬをさらに取得し、取得した新たなウェブページのＵＲＬが示すコンテンツを解析し、解析したコンテンツのインデックスを作成し、作成したインデックスを当該新たなウェブページのＵＲＬに対応付けて閲覧ページＤＢ３１に記憶させる。したがって、閲覧端末１０は、個々のユーザによって入力されたクエリに基づいて検索サーバを検索した情報だけでなく、そのユーザの興味や関心の傾向に沿った情報も提供することができ、さらにユーザの興味や関心の傾向に関連した情報も提供することができる。
【００４７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００４８】
１０    閲覧端末
１１    閲覧ページ登録部
１２    検索クエリ受付部
１３    検索結果取得部
１４    検索結果表示部
１５    クローリング部
３１    閲覧ページＤＢ
５０    検索サーバ
７０    コンピュータネットワーク
【図１】
0005416023.tif 000002
【図２】
0005416023.tif 000003
【図３】
0005416023.tif 000004
【図４】
0005416023.tif 000005
【図５】
0005416023.tif 000006